(57)【要約】      （修正有）【課題】リラックスした入浴姿勢で入浴したり各自が好む入浴姿勢で入浴を楽しんだりということに対応でき、洗うのに手間がかからない構造の浴槽用腰置き台を提供する。【解決手段】直方体の３辺の距離ａ、ｂ、ｃがそれぞれ異なるように設定され、直方体の面Ａ１，Ａ２，Ｂ１，Ｂ２，Ｃ１，Ｃ２の境目や角が丸みを帯びた形状とする。滑り止めＳ−Ａ２，Ｓ−Ｂ２，Ｓ−Ｃ２を、直方体のそれぞれ異なる面Ａ２と面Ｂ２と面Ｃ２の３つの面に付ける。直方体のそれぞれ異なる面Ａ２または面Ｂ２または面Ｃ２のいずれか１つの面に穴Ｈがある。【選択図】図１
0003185497.tif 000002
【実用新案登録請求の範囲】
【請求項１】
面の境目や角が丸みを帯びた略直方体で、その直方体の形を利用して３段階の高さで使用できるよう形成された浴槽用腰置き
【請求項２】
密封構造とすることによって生ずる浮力を打ち消し、それ自体がゆっくり浮き上がってくる程度の重さに調整して形成された浴槽用腰置き
【請求項３】
頭を置く部分が枕のように膨らんでおり、濡れた浴槽の縁に置いても浴槽の形に沿って張り付くように形成された頭置き
【請求項４】
浴槽用腰置きと頭置きが組み合わされた、浴槽用腰置きと頭置きのセット
【考案の詳細な説明】
【技術分野】
【０００１】  本考案は、浴槽内で使用する「３段階の高さで使用できる腰置き」と「浴槽の縁に頭を乗せるための頭置き」との組み合わせに関するものである。
【背景技術】
【０００２】  従来の浴槽内で使用する腰掛は、腰掛けるために考えられたものである。
しかし、入浴する姿勢はいつも同じというわけではない。銭湯や温泉へ行くと、各自がそれぞれの入浴姿勢でリラックスして入浴を楽しんでいることがわかる。多くの家庭の浴槽では手足を伸ばしてというわけにはいかないので、腰掛に座るか腰を浴槽の底に置いて足を曲げた姿勢で入浴することが多い。しかし、いつもこの姿勢でじっと浸かっているわけではなく、いろいろな姿勢で入浴している。時には体を手で支えて浮かして浮力の気持ちよさを味わう姿勢だったり、後頭部にタオルを当ててリクライニングシートに横たわっているような姿勢でお湯に浸かったりしている。また、少ないお湯の時には、寝るような形で体全体をお湯に浸けて温まることもある。このように多様な入浴の仕方で入浴を楽しんだり、その時の状況や気分に合わせて入浴したりしていることに思い当たる。【０００３】  また、洗うという視点からみたとき、従来の浴槽内で使用する腰掛は洗うのに手間がかかる構造となっている。同じような構造である洗い場の腰掛を洗う時、外側を洗い、内側を洗い、穴が開いている部分を洗うというようにして洗っている。面倒だと感じながらも、衛生面を考えると洗わざるをえない。【０００４】
【特許文献１】実開平６−６１１９２公報
【特許文献２】特開２００４−１８７７５８公報
【考案の概要】
【考案が解決しようとするための課題】
【０００５】  家庭の浴槽で、銭湯や温泉での入浴姿勢でリラックスして入浴できれば一番いい。しかし、広さを考えるとそれは難しい。手足は伸ばせられないけれど、上半身だけでも各自に合ったいろいろ入浴姿勢がとれれば、今より一段と快適な入浴になる。そのようなリラックスした入浴姿勢を保つためには、最低限、頭と腰を支える必要がある。
従来の浴槽内で使用する腰掛は座ることを前提に考案されているので、各自に合ういろいろな入浴姿勢で入浴を楽しんだりリラックスしたりということには対応できないという課題がある。さらに、特に寒い時期の半身浴については、家庭の風呂場は寒いという実態があるので上半身が冷えて温まりにくく、温まるまでには相当長い時間がかかる。そのため、寒い時期の半身浴を躊躇してしまうという課題もある。
【０００６】  次に、「洗う」という視点で見直してみると、従来の浴槽内で使用する腰掛けは外側と内側、そして、穴の開いている部分も洗わなければならないので手間がかかるという課題がある。そのうえ、腰掛の内側の谷折れになる部分や隅は、特に洗いにくいという課題もある。
【０００７】  そこで、前記の課題を解決するためには、▲１▼頭と腰を支えるもの  ▲２▼いろいろな入浴姿勢に少しでも対応できるようなもの  ▲３▼半身浴と同じような効果が期待でき、温まり易い入浴姿勢がとれるもの  ▲４▼洗い易い形であること  の４点が大事である。
【課題を解決するための手段】
【０００８】  頭と腰を支えるには、枕になる頭置きと腰を置く腰置きを組み合わせればよい。いろいろな入浴姿勢に少しでも対応できるようにするには、腰置きの高さが変わることが必要になってくる。さらに、洗い易さを考えると、複雑な構造は避けなければならない。このような条件を満たすように考案したのが、浴槽用腰置きと頭置きのセットである。
【０００９】  本考案の浴槽用腰置きは、図１のように、面の境目や角が丸みを帯びた略直方体の密封構造のものである。
直方体の形を採用することによって、３段階の高さで使用することができる。向かい合う面Ａ１と面Ａ２との距離をａ、向かい合う面Ｂ１と面Ｂ２との距離をｂ向かい合う面Ｃ１と面Ｃ２との距離をｃとすると、ａおよびｂおよびｃは、いずれも異なるように設定する。たとえば、ａを１５０ｍｍ、ｂを２００ｍｍ、ｃを３００ｍｍというようにである。
面Ａ１および面Ｂ１および面Ｃ１は、腰を置く面とする。そこで、各面は平らでもいいが、腰の線に合うような緩やかな曲面のつくりの方が良い。対になる面Ａ２および面Ｂ２および面Ｃ２の各面は平らで、滑り止めをつける。滑り止めの形状は、滑り止めの強度や材質に適合する広さや形でよい。
【００１０】  腰置きの材質は防水性のものであれば何でもよい。面の境目や角が丸みを帯びた略直方体の密封構造のものにするには、現在浴室で使われている腰掛や洗面器などと同じ材質がいいと考える。
【００１１】  腰置きは密封構造とするために、浮力が大きくなって浮き上がってくる。そのため、浮力を打ち消して、腰置き自体がゆっくり浮き上がってくる程度の重さに加減する必要がある。その方法は、以下の５通りの対処方法がとれる。▲１▼重みのある材質で作る。▲２▼材質を厚くする。▲３▼滑り止めをつける面に重りになるものを付ける。▲４▼密封構造の中に重りを入れる。この場合、重りは中で容易に動くものであることが大事な要素である。▲５▼前記▲１▼から▲４▼を組み合わせる。
腰置き自体がゆっくり浮き上がってくるように重さを調整することによって、使用後に浴槽から取り出し易い。洗うことも乾燥させることもでき易くなるので、衛生的で良い。
【００１２】  頭置きは、図２のような形で、頭を置く部分が枕のように膨らんだものである。頭を置いたときに柔らかい感じで使用できることが大事である。
材質は、弾力性と防水性があり、濡れた浴槽の縁に置いても浴槽の形に沿って張り付くような材質であれば一番良い。１つの材質とは限らず、浴槽の縁に張り付く下面の材質と頭を置く部分の材質が別の材質であってもよい。この頭置きの上面は平らでもいいが、頭の形に合うような緩やかな曲面のつくりの方が良い。また、厚みは、できれば小さくする方が良い。その訳は、厚みが増すほど湯面との差が大きくなるので、入浴しにくくなってくるからである。
【考案の効果】
【００１３】  本考案を使用すれば、図３のような半身浴はもちろんのこと、図４のような姿勢で入浴する『斜身浴』（注１）や図５のような姿勢で入浴する『浮身浴』（注２）という入浴方法もできるし、各自の好みの入浴姿勢を補助するのに役立てることができる。寒い時期に躊躇してしまう半身浴を『斜身浴』や『浮身浴』に変えることによって、水圧による内臓への負担を軽くできるとともに温まり易くなる。このように、入浴方法の幅が広がることによって、お湯の量・風呂場の寒暖・入浴時間の長短・その時の入浴気分などに合わせて、適時な入浴方法をとることができるようになる。
家庭の狭い浴槽では、温泉のように手足を伸ばしてリラックスすることはできないけれど、上半身だけでも『斜身浴』や『浮身浴』にすることによって、温泉でのリラックス感を少なからず味わうことができる。
（注１）広い浴槽でできる手足を伸ばした本来の斜身浴ではなく、図４のように狭い浴槽での上半身だけの斜身浴になるので、『  』で括って区別した。
（注２）広い浴槽でできる手足を伸ばした本来の浮身浴ではなく、図５のように狭い浴槽での上半身だけの浮身浴になるので、『  』で括って区別した。
【００１４】  また、腰置きを使うことによって、図４のような『斜身浴』も半身浴と同じように水圧による内臓への負担が軽くなり、健康に良いと思われる。図５のような『浮身浴』は、半身浴より水圧による内臓への負担がさらに軽くなり、健康に良いと思われる。この『浮身浴』は、お湯に浸かりながら浮いているような感覚を味わうことができ、浮力によるリラックス効果も期待できる。
【００１５】  本考案の浴槽用腰置きは、面の境目や角が丸みを帯びた略直方体の密封構造であるため、外側の６つの凸面だけを洗えばよいという大変洗い易い構造となっている。簡単に洗えるので洗うことが苦にならず、洗う回数が増えて衛生が保ちやすくなることが期待できる。また、腰置き自体がゆっくり浮き上がってくるように重さが調整されているので、使用後に浴槽から取り出し易く、洗うことも乾燥させることもでき易くなる。
【図面の簡単な説明】
【００１６】
【図１】浴槽用腰置きの斜視図である。線で表されているところも、実際は丸みを帯びた曲面である。
【図２】頭置きの斜視図である。線で表されているところも、実際は丸みを帯びた曲面である。
【図３】浴槽用腰置きを使用して、半身浴の入浴状態を示す説明図である。
【図４】浴槽用腰置きと頭置きのセットを使用して、『斜身浴』の入浴状態を示す説明図である。
【図５】浴槽用腰置きと頭置きのセットを使用して、『浮身浴』の入浴状態を示す説明図である。
【符号の説明】
【００１７】Ａ１、Ａ２、Ｂ１、Ｂ２、Ｃ１、Ｃ２    面
ａ、ｂ、ｃ      距離
ｓ              滑り止め
１              浴槽の縁上部
２              浴槽の内側縦面
３              浴槽用腰置き
４              頭置き
５              浴槽
６              湯面
【図１】
0003185497.tif 000003
【図２】
0003185497.tif 000004
【図３】
0003185497.tif 000005
【図４】
0003185497.tif 000006
【図５】
0003185497.tif 000007
【手続補正書】
【提出日】平成25年5月30日(2013.5.30)
【手続補正１】
【補正対象書類名】実用新案登録請求の範囲
【補正対象項目名】全文
【補正方法】変更
【補正の内容】
【実用新案登録請求の範囲】
【請求項１】
直方体の３辺の長さａ、ｂ、ｃがそれぞれ異なるように設定され、直方体の面の境目や角が丸みを帯びたことを特徴とする浴槽用腰置き台
【請求項２】
滑り止めを、直方体のそれぞれ異なる面Ａ２と面Ｂ２と面Ｃ２の３つの面に付けた請求項１記載の浴槽用腰置き台
【請求項３】
直方体のそれぞれ異なる面Ａ２または面Ｂ２または面Ｃ２のいずれか１つの面に穴があることを特徴とする請求項１記載の浴槽用腰置き台
【手続補正２】
【補正対象書類名】明細書
【補正対象項目名】全文
【補正方法】変更
【補正の内容】
【考案の詳細な説明】
【技術分野】
【０００１】  本考案は、いろいろな入浴姿勢で入浴するときに、腰掛けたり腰を置いたりするための浴槽内で使用する腰置き台に関するものである。
【背景技術】
【０００２】  従来の浴槽内で使用する腰掛は、腰掛けるためや半身浴をするために考えられたものである。けれども、入浴する姿勢はいつも腰掛けるだけや半身浴だけというわけではない。
銭湯や温泉へ行くと、手足を伸ばし各自がそれぞれの入浴姿勢でリラックスして入浴を楽しんでいることがわかる。泡の出る浴槽では、頭置きに頭を置いて浮身浴に近い状態で入浴している。浅い浴槽のところでは、浴槽の縁にタオルを置いて頭を乗せ、体を斜めにして入浴する斜身浴の状態で入浴している人もいる。家庭の風呂であっても、時には体を手で支えて浮かし浮力の気持ちよさを味わう姿勢だったり、後頭部にタオルを当ててリクライニングシートに横たわるような姿勢でお湯に浸かったりしている。また、少なめのお湯の時には、寝るような形で体全体をお湯に浸けて温まることもある。このように、その場の状況やその時の気分などに合わせて、入浴を楽しんだりリラックスしたりしていることに思い当たる。
従来の家庭における入浴は、浴槽の幅が狭いことから、湯に浸かって温まることが前提であり、いろいろな入浴姿勢で入浴を楽しんだりリラックスしたりという考えは薄かった。だから、腰を浴槽の底に置いて足を曲げた姿勢で入浴するが、腰掛に座って半身浴をするしかなかった。そのため、腰掛けるためや半身浴のために考えられた浴槽用腰掛で充分であった。【０００３】
【特許文献１】実開平６−６１１９２公報
【特許文献２】特開２００４−１８７７５８公報
【考案の概要】
【考案が解決しようとするための課題】
【０００４】  家庭の浴槽で、銭湯や温泉で体験できる斜身浴や浮身浴など、いろいろな入浴姿勢でリラックスして入浴できれば一番良い。けれど、幅１メートル前後の家庭の浴槽では、それは非常に難しい。だから体全体を伸ばした入浴姿勢ではなく、せめて上半身だけでも各自が好む入浴姿勢がとれれば、今より一段と入浴が楽しくなるし、リラックスできるはずである。上半身を各自が好む入浴姿勢にするためには、手で支えるか、上半身を支える物が必要になる。手で上半身を支えると手に力が入ってなかなかリラックスできないので、やはり浴槽内で上半身を支える物が必要である。浴槽内で使用する腰掛はあるが、座ることを前提に考案されているので、上半身を支えるという考えの構造にはなっていない。つまり、斜身浴や浮身浴など各自が好むいろいろな入浴姿勢で入浴を楽しんだり、リラックスしたりということには対応できにくいという課題がある。
対応できにくいという課題を少し具体的にみると、高さが１つに決まっている腰掛の場合、腰掛けて半身浴はできるが、それ以外の入浴姿勢に対応するのは難しい。４段階の高さで使用できる腰掛の場合、腰掛けるのが前提であるため、滑り止めがない。斜身浴や浮身浴のような入浴姿勢では、下方向に力がかかるだけでなく斜め方向にも力がかかるので、安定させるためには滑り止めが必要である。また、腰を置くのに使用する場合、４段階にするために設けた脚部が腰に当たってしまう。それから、腰掛けるだけなら面と面の境目や角があってもあまり支障ないが、腰を置く場合、見えない腰の下で回転させることがあると角が当たって痛い思いをしたり擦りむいたりする怪我の心配も出てきてしまう。
【０００５】  次に、洗うという視点で見直してみると、第一に、簡単な構造の物は洗い易い。逆に複雑な構造になるほど、洗うのに手間がかかるようになる。第二に、曲面でできている物は洗い易い。腰掛の内側の谷折れの部分や隅が直角になっている物は洗いにくい。第三に、使用後に湯面まで浮き上がってくる物は取り出し易く、洗うのに便利である。逆に沈んだままだと取り出しにくく不便である。このように、洗い易さの視点で考えてあるかどうかという課題がある。
【０００６】  そこで、前記２つの課題を解決する方法として、
▲１▼斜身浴や浮身浴などの入浴姿勢を保つためには、最低限、頭と腰を支える必要がある。そのためには、頭置きと腰を置くという考えの構造物とを組み合わせること。
▲２▼いろいろな入浴姿勢に少しでも対応できるようにするため、腰を置くという考えの構造物の高さが変えられること。
▲３▼腰を置くという考えの構造物に腰を置いたとき、痛い思いをしたり擦りむいたりする怪我の心配がない形状の構造物であること。
▲４▼腰を置くという考えの構造物に腰を置いたとき、その構造物が滑りにくいこと。
▲５▼洗い易い形状の構造物であること。
▲６▼使用後に腰を置くという考えの構造物自体がゆっくりと浮き上がってくること。
の６点が大事である。
【課題を解決するための手段】
【０００７】  頭と腰を支えるには、頭置きと腰を置くという考えの構造物とを組み合わせる。
頭置きはタオルでも良いが、市販されているお風呂用枕または空気枕またはビーチ枕などの方が柔らかくてリラックスし易いので良い。
腰を置くという考えの構造物は、高さが変えられること、角などがない形状であること、滑りにくいこと、洗い易い形状であること、ゆっくり浮き上がってくることが大事である。このような条件を満たすように考案したのが、図１のように、直方体の３辺の長さがそれぞれ異なるように設定され、面の境目や角が丸みを帯び、滑り止めがついて、穴があいている構造の浴槽用腰置き台である。
【０００８】  向かい合う面Ａ１と面Ａ２との距離をａ、向かい合う面Ｂ１と面Ｂ２との距離をｂ、向かい合う面Ｃ１と面Ｃ２との距離をｃとすると、ａおよびｂおよびｃはいずれも異なり、ａ＜ｂ＜ｃになるように設定する。例えば、ａを１５０ｍｍ、ｂを２００ｍｍ、ｃを３００ｍｍというようにである。直方体の形を採用することによって、３辺の長さａ、ｂ、ｃの３段階の高さで使用することができる。
【０００９】  直方体の面の境目や角は丸みを帯びた形状とする。この形状にすることによって角がなくなるので、体に当たって痛い思いをしたり擦りむいたりする怪我の心配も防止できる。
【００１０】  面Ａ１および面Ｂ１および面Ｃ１の３つの面は、腰を置く面とする。そこで、各面は平らでも良いが、腰の線に合うような緩やかな曲面のつくりの方が良い。緩やかな曲面だと、腰を置きやすい。
【００１１】  面Ａ１・面Ｂ１・面Ｃ１と向かい合う面Ａ２および面Ｂ２および面Ｃ２の３つの面は、浴槽の底に接する面とする。面Ａ２・面Ｂ２・面Ｃ２の各面は、境目以外平らで、それぞれの面の両端に滑り止めをつける。滑り止めの形状は、滑り止めの材質に適した広さや形や厚さでよい。それぞれ異なる３つの面に滑り止めをつけるので、３辺の長さａ、ｂ、ｃのどの高さで使用しても浴槽用腰置き台が滑って体が不安定になることが防止できる。
【００１２】  図１のように直方体の１つの面に穴があいている。穴をあける面は、滑り止めを付ける面Ａ２・面Ｂ２・面Ｃ２のうちの１つの面である。図１では、面Ｂ２に穴があいている図になっている。穴の大きさは、片手を入れて中を洗うのに洗い易いような大きさが良い。穴が大きいと湯の出し入れもし易い。穴の形状は、けが防止や洗い易さを考えると円形か楕円形が良いが、方形であっても直角の部分が丸みを帯びていればよい。
【００１３】  浴槽用腰置き台の材質は、防水性があることと面の境目や角が丸みを帯びた直方体の構造のものにできれば何でもよい。しかし、使用後に洗うということを考えると、ゆっくり浮き上がってくるような材質のものが良い。現在浴室で使われている腰掛や洗面器などと同じ材質のポリプロピレンなどが良いと考える。浴槽用腰置き台の中にお湯をほぼ一杯入れると、浮力が打ち消されてゆっくりと浮き上がってくるからである。
滑り止めの分の重さは、中に少し空気を入れることによって調整することができる。少し空気を入れると、面Ｃ１か面Ｃ２が上になって浮き上がってくる。そして面Ａ１または面Ａ２が上になって浮かぶ。このことから、面Ｂ２に穴があると、浮力調整のために入れた空気は逃げにくいことがわかる。
【考案の効果】
【００１４】  浴槽用腰置き台の面Ａ１または面Ｂ１に腰掛けると、半身浴ができる。
面Ｂ１または面Ａ１に腰を置き、浴槽の縁に置いた頭置き（お風呂用枕または空気枕またはビーチ枕など）に頭を置くと、図２のような姿勢で入浴する『斜身浴（上半身のみ）』ができる。
面Ｃ１または面Ｂ１に腰を置き、浴槽の縁に置いた頭置き（お風呂用枕または空気枕またはビーチ枕など）に頭を置くと、図３のような姿勢で入浴する『浮身浴（上半身のみ）』ができる。
（注）広い浴槽でできる手足を伸ばした本来の斜身浴や浮身浴ではなく、図２や図３のように狭い浴槽での上半身だけの斜身浴や浮身浴になるので、『  』で括って区別した。
【００１５】  浴槽用腰置き台と頭置きを使うことによって、図２のような『斜身浴（上半身のみ）』も半身浴と同じように水圧による内臓への負担が軽くなり、健康に良いと思われる。図３のような『浮身浴（上半身のみ）』は、半身浴より水圧による内臓への負担がさらに軽くなり、健康に良いと思われる。この『浮身浴（上半身のみ）』は、お湯に浸かりながら浮いているような感覚を味わうことができ、浮力によるリラックス効果も期待できる。
寒い時期に躊躇してしまう半身浴を、図２のような『斜身浴（上半身のみ）』や図３のような『浮身浴（上半身のみ）』に変えることによって、半身浴と同じような効果を得られつつ温まり易くなる。
【００１６】  家庭の幅１ｍ前後の狭い浴槽では、銭湯や温泉のように足を伸ばしてリラックスすることはできにくい。けれども、浴槽用腰置き台に腰を置いて、浴槽の縁に置いた頭置きに頭を置くと、『斜身浴（上半身のみ）』や『浮身浴（上半身のみ）』などができ、銭湯や温泉でのリラックス感を少なからず味わうことができる。
幅１ｍ５０ｃｍ以上ある浴槽では、浴槽用腰置き台に腰を置いて、浴槽の縁に置いた頭置きに頭を置くと、手足を伸ばした本当の斜身浴や浮身浴が可能になるので、銭湯や温泉と同程度のリラックス感を味わうことが期待できる。
【００１７】  このように、本考案の浴槽用腰置き台と頭置きを使用すると、家庭の幅の狭い浴槽であっても入浴方法の種類が増えることによって、お湯の量・風呂場の寒暖・入浴時間の長短・その時の入浴気分などに合わせて、適切な入浴方法をとることができ易くなる。腰掛けるだけや半身浴はもちろんのこと、各自が好むいろいろな入浴姿勢で入浴を楽しんだり、リラックスして入浴したりということに対応し易くなる。
【００１８】  洗うという視点では、本考案の浴槽用腰置き台は、直方体の面の境目や角が丸みを帯びた構造であるため、外側も内側も曲面や平面だけを洗えばよいという洗い易い構造となっている。
【００１９】  使用後に洗ったり乾燥させたりすることを考えると、ゆっくり浮き上がってくることが大事である。浴槽用腰置き台の中にお湯をほぼ一杯入れると、ゆっくりと浮き上がってくる。浮き上がり方が悪いときは、若干の空気を入れることによって、ゆっくり浮き上がってくるように調整できる。したがって、使用後に浴槽から取り出し易く、洗うことも乾燥させることもでき易い。
【図面の簡単な説明】
【００２０】
【図１】浴槽用腰置き台の斜視図である。
【図２】浴槽用腰置き台と頭置きを使用して、『斜身浴（上半身のみ）』の入浴状態を示す説明図である。
【図３】浴槽用腰置き台と頭置きを使用して、『浮身浴（上半身のみ）』の入浴状態を示す説明図である。
【符号の説明】
【００２１】Ａ１、Ａ２、Ｂ１、Ｂ２、Ｃ１、Ｃ２      面
ａ、ｂ、ｃ      距離
Ｓ−Ａ２        面Ａ２に取り付けた滑り止め
Ｓ−Ｂ２        面Ｂ２に取り付けた滑り止め
Ｓ−Ｃ２        面Ｃ２に取り付けた滑り止め
Ｈ              穴
１              浴槽用腰置き台
２              頭置き
３              浴槽
４              湯面
【手続補正３】
【補正対象書類名】図面
【補正対象項目名】全図
【補正方法】変更
【補正の内容】
【図１】
0003185497.tif 000008
【図２】
0003185497.tif 000009
【図３】
0003185497.tif 000010